(57)【要約】【課題】外壁の耐衝撃性能を一般人に対してわかりやすくしかも印象深くアピールすることができ、子供連れであっても子供を退屈させない、外壁パネルの耐衝撃性能アピール方法を提供する。【解決手段】パンチングマシン１で比較用のコンクリートパネル４をパンチングするステップと、パンチングマシン１のパンチ力を計測表示するステップと、パンチングマシン１でアピールの対象である外壁パネル６をパンチングするステップと、見学者７のパンチ力を計測表示するステップを行う。【選択図】      図１
2006047431.tif 000002
【特許請求の範囲】
【請求項１】
パンチングマシンを用い、アピールの対象である外壁パネルを、所定の設定パンチ力でパンチングするステップと、
パンチングマシンの前記設定パンチ力をパンチ力計測表示装置で計測し表示するステップと
を相前後して行い、該パンチ力で前記外壁パネルが割れないことをアピールする、外壁パネルの耐衝撃性能アピール方法。
【請求項２】
パンチングマシンを用い、アピールの対象である外壁パネルよりも耐衝撃性能の劣る比較用パネルを、前記設定パンチ力でパンチングして割るステップを、前記ステップと相前後して行う、請求項１に記載の外壁パネルの耐衝撃性能アピール方法。
【請求項３】
人のパンチ力をパンチ力計測表示装置で計測し表示するステップを、前記ステップと相前後して行う請求項１又は２に記載の外壁パネルの耐衝撃性能アピール方法。
【請求項４】
パンチングマシンを用い、アピールの対象である外壁パネルを、所定の設定パンチ力でパンチングして割れないことをアピールするステップと、
パンチングマシンを用い、アピールの対象である外壁パネルよりも耐衝撃性能の劣る比較用パネルを、前記設定パンチ力でパンチングして割るステップと
を相前後して行う、外壁パネルの耐衝撃性能アピール方法。
【請求項５】
前記パンチングマシンが、ボクシンググラブをはめた格闘選手の人形と組み合わされ、該人形がパンチングしているようにみせる請求項１乃至４のいずれか一に記載の、外壁パネルの耐衝撃性能アピール方法。
【発明の詳細な説明】
【技術分野】
【０００１】
本発明は、外壁パネルの耐衝撃性能アピール方法に関する。
【背景技術】
【０００２】
住宅等の建物の購入予定者等の一般人に、外壁の耐衝撃性能を専門的な試験データを使って書面や口頭で説明することは、従来より行われている。
【発明の開示】
【発明が解決しようとする課題】
【０００３】
しかしながら、一般人にとっては、専門的な試験データを示されても、その意味を理解できなかったり、理解するのが億劫であったりして、印象に残らないことが多い。特に、子供連れで説明を受けるような場合は、説明に退屈する子供に気持ちを奪われ、説明を理解しようとする心の余裕さえもてない場合がある。
【０００４】
本発明は、上記のような問題点に鑑み、外壁の耐衝撃性能を一般人に対してわかりやすくしかも印象深くアピールすることができ、子供連れであっても子供を退屈させない、外壁パネルの耐衝撃性能アピール方法を提供することを課題とする。
【課題を解決するための手段】
【０００５】
上記の課題は、パンチングマシンを用い、アピールの対象である外壁パネルを、所定の設定パンチ力でパンチングするステップと、
パンチングマシンの前記設定パンチ力をパンチ力計測表示装置で計測し表示するステップと
を相前後して行い、該パンチ力で前記外壁パネルが割れないことをアピールする、外壁パネルの耐衝撃性能アピール方法によって解決される。
【０００６】
この方法では、ボクシング等の格闘技をイメージさせるパンチングマシンを用い、該マシンで外壁パネルをパンチングすることにより、外壁パネルの耐衝撃性能をアピールするものであるから、一般人は、外壁パネルにどのような種類の衝撃力が加えられるのかをパンチ力に関する自らの日常的経験に基づいて容易に理解することができ、そのパンチ力に耐えて割れない外壁パネルの姿を見て、外壁パネルの耐衝撃性能の高さを印象深く理解することができる。
【０００７】
しかも、外壁パネルに加えられるパンチ力は、パンチ力計測表示装置で計測し表示するようにしているので、パンチ力の大きさを客観的な数値で認識することができ、その数値から、外壁パネルが人並みを遙かに越えたパンチ力に耐えるものであることを知ることができる。
【０００８】
また、子供連れの場合であっても、子供は、パンチングされる外壁パネルを見、パンチングの音を聞き、パンチング時の振動をからだ全体で感じ、心の底から興味をそそられて退屈することがなく、大人は、子供に気持ちを奪われることなく、外壁パネルの耐衝撃性能の理解に集中することができる。
【０００９】
加えて、アピールの方法として、人にパンチングしてもらうのではなく、パンチングマシンにパンチングさせるようにしているので、人のパンチング力を遙かに越える大きなパンチ力を外壁パネルに加えることができ、パンチング時の音と振動を迫力あるものにすることができて、外壁パネルの強さを印象深くアピールすることができる。
【００１０】
また、パンチングによるアピール方法であるから、外壁の耐衝撃性能を狭いスペースを有効利用して効果的にアピールすることができるし、見学者に対する安全も容易に確保することができる。
【００１１】
上記の方法において、パンチングマシンを用い、アピールの対象である外壁パネルよりも耐衝撃性能の劣る比較用パネルを、前記設定パンチ力でパンチングして割るステップを、前記ステップと相前後して行うようにするのもよい。その場合は、比較用パネルへのパンチングによってパンチングマシンのパンチ力の大きさを知ってもらうことができ、そのパンチ力の耐える外壁パネルの強さをわかりやすく理解してもらうことができる。
【００１２】
また、上記の各アピール方法において、人のパンチ力をパンチ力計測表示装置で計測し表示するステップを、前記ステップと相前後して行うようにするのもよい。その場合は、パンチングマシンのパンチ力が人のパンチ力に比べていかに大きいかをパンチングマシンのパンチ力計測表示ステップとの比較において数学的に客観把握してもらうことができ、外壁パネルは、人がパンチングした程度では到底割れない強さをもっていることを実感してもらうことができる。
【００１３】
また、パンチングマシンを用い、アピールの対象である外壁パネルを、所定の設定パンチ力でパンチングして割れないことをアピールするステップと、
パンチングマシンを用い、アピールの対象である外壁パネルよりも耐衝撃性能の劣る比較用パネルを、前記設定パンチ力でパンチングして割るステップと
を相前後して行うのもよく、その場合は、アピールの対象である外壁パネルと比較用パネルとの比較において、外壁パネルの強さを印象深くアピールすることができる。
【００１４】
また、上記の各方法において、ボクシンググラブをはめた格闘選手の人形とパンチングマシンとを組み合わせ、その人形が外壁パネルをパンチングしているようにみせるアピール方法を採用する場合は、子供の気持ちを強く引きつけることができる。
【００１５】
また、ボクシンググラブとパンチングマシンとを組み合わせ、ボクシンググラブで外壁パネルをパンチングする場合には、グラブによる衝撃緩和力によって、外壁パネルのパンチングを音についても振動についても迫力あるものにすることができる。
【発明の効果】
【００１６】
本発明は、以上のとおりのものであるから、外壁の耐衝撃性能を一般の人に対してわかりやすくしかも印象深くアピールすることができ、子供連れであっても子供を退屈させることもない。
【発明を実施するための最良の形態】
【００１７】
次に、本発明の実施最良形態を図面に基づいて説明する。
【００１８】
本実施形態で使用するパンチングマシン１は、図３に示すように、ボクシング用のグラブ２をはめた格闘選手の人形３と組み合わされ、パンチングマシン１を駆動することにより、ボクシンググラブ２が前後し、それに追従して人形３の腕３ａが前後して、あたかも格闘選手がパンチング動作を行っているかのように見せることができるようになされている。なお、パンチングマシン１は、図示するようなピストン式のものに限らず、種々の駆動機構によるものからなっていてよい。
【００１９】
本実施形態では、上記の人形３と組み合わされたパンチングマシン１を用い、これを、住宅用建物の工場や展示場、体験施設に設置し、一般の見学者を相手に、外壁パネルの耐衝撃性能を、次のようにしてアピールする。
【００２０】
即ち、まず、図１（イ−１）に示すように、比較用パネルとしてのＡＬＣ板などのコンクリートパネル４を人形３の前にセットし、パンチングマシン１を駆動して該コンクリートパネル４を所定の設定パンチ力でパンチングして、図１（イ−２）に示すように割る。これにより、看者が、パンチングマシン１の破壊力の大きさを実感することができる。
【００２１】
次いで、図２（ロ）に示すように、パンチングマシン１で、パンチ力計測表示装置５のパンチ受け部５ａを上記の設定パンチ力と同じパンチ力でパンチングし、その時のパンチ力を表示部５ｂに表示する。これにより、看者は、コンクリート４を割ったパンチングマシン１のパンチ力が数値的にいかなるものかを知ることができ、自らのパンチ力や、人の一般的なパンチ力の値を知っている者は、それとの比較で、パンチングマシン１のパンチ力の大きさを客観的に把握することができる。
【００２２】
次に、図２（ハ）に示すように、アピールの対象である外壁パネル６を、パンチングマシン１により、上記の設定パンチ力と同じパンチ力でパンチングし、外壁パネル６がそのパンチ力で割れないことを見せる。これにより、看者は、コンクリートパネル４がパンチングマシン１のパンチングによって割れたこととの比較において、外壁パネル６の強さを強く実感することができる。
【００２３】
そして、図２（ニ）に示すように、見学者７に、パンチ力計測表示装置５のパンチ受け部５ａをパンチングしてもらい、その時のパンチ力を表示部５ｂに表示する。これにより、自らのパンチ力や、人の一般的なパンチ力の大きさを知らない者であっても、パンチングマシン１のパンチ力の大きさを、見学者７のパンチ力の数値との比較において、客観的に把握することができ、外壁パネル６が人のパンチ力程度では到底割れない強さをもっていることを実感してもらうことができる。なお、パンチングを行う見学者は、大人であってもよいし、子供であってもよいし、ボクシンググラブは、はめていてもよいし、はめていなくてもよい。
【００２４】
このように、上記の方法によれば、格闘技をイメージさせるパンチングマシン１を用い、該マシン１で外壁パネル６をパンチングすることにより、外壁パネル６の耐衝撃性能をアピールするものであるから、見学者は、外壁パネル６にどのような種類の衝撃力が加えられるのかをパンチ力に関する自らの日常的経験に基づいて容易に理解することができ、そのパンチ力に耐えて割れない外壁パネル６の姿を見て、外壁パネル６の耐衝撃性能の高さを印象深く理解することができる。特に、ボクシンググラブ２とパンチングマシン１とを組み合わせ、ボクシンググラブ２で外壁パネル６をパンチングするようにしているので、グラブ２による衝撃緩和力によって、外壁パネル６のパンチングを音についても振動についても迫力あるものにすることができ、見学者の注目度を高めることができる。
【００２５】
また、見学者が子供連れの場合であっても、子供は、パンチングされる外壁パネル６を見、パンチングの音を聞き、パンチング時の振動をからだ全体で感じ、心の底から興味をそそられて退屈することがなく、大人は、子供に気持ちを奪われることなく、外壁パネル６の耐衝撃性能の理解に集中することができる。特に、本実施形態では、ボクシンググラブ２をはめた格闘選手の人形３とパンチングマシン１とを組み合わせ、その人形３が外壁パネル６をパンチングしているようにみせるアピール方法を採用しているので、子供の気持ちを強く引きつけることができる。
【００２６】
更に、アピールの方法として、外壁パネル６に対するパンチングを人が行うのではなく、パンチングマシン１に行わせるようにしているので、人のパンチング力を遙かに越える大きなパンチ力を外壁パネル６に加えることができ、パンチング時の音と振動を迫力あるものにすることができて、外壁パネルの強さを印象深くアピールすることができると共に、パンチングによるアピール方法であるから、外壁パネル６の耐衝撃性能を狭いスペースを有効利用して効果的にアピールすることができるし、見学者に対する安全も容易に確保することができる。
【００２７】
以上に、本発明の実施形態を示したが、本発明はこれに限られるものではなく、発明思想を逸脱しない範囲で各種の変更が可能である。例えば、上記の実施形態では、パンチングマシン１で比較用のコンクリートパネル４をパンチングするステップと、パンチングマシン１のパンチ力を計測表示するステップと、パンチングマシン１でアピールの対象である外壁パネル６をパンチングするステップと、見学者７のパンチ力を計測表示するステップの４つのステップをその順序で行った場合を示しているが、順序に制限はなく、どのような順序で行うようにしてもよい。また、コンクリートパネル４に対するパンチングステップと、見学者７のパンチ力の計測表示ステップは、それらのいずれか一方、又は、両方を省略するようにしてもよい。
【図面の簡単な説明】
【００２８】
【図１】図（イ−１）〜図（ロ）は、図２（ハ）（ニ）と共に、実施形態の方法を順次に示す斜視図である。
【図２】図（ハ）（ニ）は、図１（イ−１）〜（ロ）と共に、実施形態の方法を順次に示す斜視図である。
【図３】パンチングマシンと人形との組み合わせ状態を示すもので、図（イ）はかまえた状態の側面図、図（ロ）はパンチングした状態の側面図である。
【符号の説明】
【００２９】
１…パンチングマシン
２…ボクシンググラブ
４…コンクリートパネル（比較用パネル）
５…パンチ力計測表示装置
６…外壁パネル
７…見学者（人）
【図１】
2006047431.tif 000003
【図２】
2006047431.tif 000004
【図３】
2006047431.tif 000005